(57)【要約】【課題】消費電力を低減できる電気光学装置、電気光学装置の駆動方法、および電子機器を提供すること。【解決手段】電気光学装置１は、表示画面Ａの全ての領域を表示領域とする全画面表示モードと、表示画面Ａの全ての領域のうち一部の領域を表示領域とし、他の領域を非表示領域とする部分表示モードと、が選択可能である。この電気光学装置１は、走査線Ｙを選択する選択電圧を複数の走査線Ｙに順次供給する走査線駆動回路１０と、走査線Ｙが選択された際に、複数のデータ線Ｘに画像信号を供給するデータ線駆動回路２０と、データ線Ｘと共通電極５６とを断続するイコライザ回路４０と、を備える。このイコライザ回路４０は、部分表示モードにおいて、複数の走査線Ｙのうち非表示領域の走査線Ｙが選択された際に、データ線Ｘと共通電極５６とを接続する。【選択図】図１
2008015401.tif 000002
【特許請求の範囲】
【請求項１】
複数の走査線と、複数のデータ線と、前記複数の走査線と前記複数のデータ線との交差に対応して設けられた複数の画素電極と、当該画素電極に対向して設けられた共通電極と、を備え、全画面を表示領域とする全画面表示モードと、前記全画面のうち一部の領域を表示領域とし、他の領域を非表示領域とする部分表示モードと、が選択可能な電気光学装置であって、
前記走査線を選択する選択電圧を前記複数の走査線に順次供給する走査線駆動回路と、
前記走査線が選択された際に、前記複数のデータ線に画像信号を供給するデータ線駆動回路と、
前記複数のデータ線と前記共通電極とを接続するスイッチ素子を複数有するイコライザ回路と、を備え、
前記イコライザ回路は、前記部分表示モードにおいて、前記非表示領域の走査線が選択された際に、前記データ線と前記共通電極とを接続することを特徴とする電気光学装置。
【請求項２】
請求項１に記載の電気光学装置において、
第１電圧と、当該第１電圧よりも電位の高い第２電圧と、を交互に前記共通電極に供給する制御回路を更に備え、
前記データ線駆動回路は、
前記共通電極に前記第１電圧が供給された後に、前記データ線に前記第１電圧よりも電位の高い画像信号を供給し、
前記共通電極に前記第２電圧が供給された後に、前記データ線に前記第２電圧よりも電位の低い画像信号を供給し、
前記イコライザ回路は、前記部分表示モードにおいて、前記複数の走査線のうち前記表示領域の走査線が選択される前で、かつ、前記共通電極の電圧が前記第１電圧から前記第２電圧または前記第２電圧から前記第１電圧に変動する際に、前記データ線と前記共通電極とを接続することを特徴とする電気光学装置。
【請求項３】
請求項１または２に記載の電気光学装置において、
前記データ線駆動回路と、前記イコライザ回路とは、それぞれ、前記全画面において対向する２辺に沿って設けられることを特徴とする電気光学装置。
【請求項４】
請求項１乃至３のいずれか１項に記載の電気光学装置を備えることを特徴とする電子機器。
【請求項５】
複数の走査線、複数のデータ線、前記複数の走査線と前記複数のデータ線との交差に対応して設けられた複数の画素電極、および当該画素電極に対向して設けられた共通電極を備え、全画面を表示領域とする全画面表示モードと、前記全画面のうち一部の領域を表示領域とし、他の領域を非表示領域とする部分表示モードと、が選択可能な電気光学装置の駆動方法であって、
前記部分表示モードにおいて、前記非表示領域の走査線を選択した際に、前記データ線と前記共通電極とを接続することを特徴とする電気光学装置の駆動方法。
【発明の詳細な説明】
【技術分野】
【０００１】
本発明は、電気光学装置、電気光学装置の駆動方法、および電子機器に関する。
【背景技術】
【０００２】
従来より、液晶装置といった電気光学装置が知られている。この電気光学装置は、例えば、所定間隔おきに設けられた複数の走査線と、これら複数の走査線に交差し所定間隔おきに設けられた複数のデータ線と、を備える。
【０００３】
各走査線と各データ線との交差部分には、画素が設けられている。画素は、画素電極および共通電極からなる画素容量と、スイッチング素子としての薄膜トランジスタ（以降、ＴＦＴ（Thin  Film  Transistor）と呼ぶ）と、を備える。この画素は、マトリクス状に複数配列されて表示画面を形成する。
ＴＦＴのゲートには、走査線が接続され、ＴＦＴのソースには、データ線が接続され、ＴＦＴのドレインには、画素電極が接続されている。
【０００４】
走査線駆動回路は、走査線を選択する選択電圧を所定の順番で各走査線に供給する。走査線に選択電圧が供給されると、この走査線に接続されたＴＦＴが全てオン状態となる。
【０００５】
データ線駆動回路は、画像信号を各データ線に供給し、オン状態のＴＦＴを介して、この画像信号に基づく画像電圧を画素電極に書き込む。
【０００６】
以上の電気光学装置は、以下のように動作する。
すなわち、走査線に選択電圧を順次供給することで、ある走査線に接続されたＴＦＴを全てオン状態にして、この走査線に係る画素を全て選択する。そして、これら画素の選択に同期して、データ線に画像信号を供給する。すると、選択した全ての画素に、オン状態のＴＦＴを介して画像信号が供給され、この画像信号に基づく画像電圧が画素電極に書き込まれる。
【０００７】
画素電極に画像電圧が書き込まれると、画素電極と共通電極との電位差により、液晶に駆動電圧が印加される。液晶に駆動電圧が印加されると、液晶の配向や秩序が変化し、液晶を透過する光が変化して、階調表示が行われる。
【０００８】
このような電気光学装置では、消費電力の低減が要請されている。そこで、上述のように表示画面の全面に表示する（以降、この場合を全画面表示モードと呼ぶ）のではなく、表示画面の一部にのみ表示する（以降、この場合を部分（パーシャル）表示モードと呼ぶ）ことで、消費電力の低減を図っている（例えば、特許文献１参照）。
【０００９】
この特許文献１で示された電気光学装置においては、部分表示モードでは、表示画面を表示領域と非表示領域とに分割する。そして、表示領域では、各画素電極に、例えば電池残量や時刻表示といった画像に対応した画像電圧を書き込んで、各画素から階調表示を行う。一方、非表示領域では、各画素電極に、ノーマリーホワイトでは白の画像、ノーマリーブラックでは黒の画像といったオフ表示画像に対応した画像電圧を書き込んで、各画素から階調表示を行う。
【００１０】
ここで、部分表示モードにおいて、非表示領域の画素電極には、オフ表示画像である一定の画像に対応した画像電圧を書き込むので、表示領域の画素電極に画像電圧を書き込む周期よりも遅い周期で画像電圧を書き込んでも、表示の劣化が目立たない。よって、部分表示モードにおいて、表示領域の画素電極に画像電圧を書き込む周期と比べて、非表示領域の画素電極に画像電圧を書き込む周期を遅くして、消費電力を低減できる。
【特許文献１】特開２００１−３５６７４６号公報
【発明の開示】
【発明が解決しようとする課題】
【００１１】
ところが、以上のような電気光学装置では、消費電力のさらなる低減が求められている。上述の電気光学装置では、部分表示モードにおいて、非表示領域の画素電極に画像電圧を書き込む周期を遅くしても、所定周期ごとに画像電圧を書き込むことには変わりないので、消費電力を十分には低減できていない場合があった。
【００１２】
そこで、本発明は、上述の課題に鑑みてなされてものであり、消費電力を低減できる電気光学装置、電気光学装置の駆動方法、および電子機器を提供することを目的とする。
【課題を解決するための手段】
【００１３】
本発明の電気光学装置は、複数の走査線と、複数のデータ線と、前記複数の走査線と前記複数のデータ線との交差に対応して設けられた複数の画素電極と、当該画素電極に対向して設けられた共通電極と、を備え、全画面を表示領域とする全画面表示モードと、前記全画面のうち一部の領域を表示領域とし、他の領域を非表示領域とする部分表示モードと、が選択可能な電気光学装置であって、前記走査線を選択する選択電圧を前記複数の走査線に順次供給する走査線駆動回路と、前記走査線が選択された際に、前記複数のデータ線に画像信号を供給するデータ線駆動回路と、前記複数のデータ線と前記共通電極とを接続するスイッチ素子を複数有するイコライザ回路と、を備え、前記イコライザ回路は、前記部分表示モードにおいて、前記非表示領域の走査線が選択された際に、前記データ線と前記共通電極とを接続することを特徴とする。
【００１４】
画素電極と共通電極とが同電位であれば、液晶には駆動電圧が印加されないので、ノーマリーホワイトであれば白の階調を表示し、ノーマリーブラックであれば黒の階調を表示する。
そこで、この発明によれば、部分表示モードにおいて、複数の走査線のうち非表示領域の走査線を選択した際に、データ線と共通電極とを接続した。このため、データ線を介して、画素電極と共通電極との間で電荷の移動が生じて、画素電極と共通電極とが同電位となる。したがって、データ線駆動回路により、オフ表示画像に対応した画像信号をデータ線に供給しなくても、非表示領域の画素ではオフ表示画像を表示できる。よって、走査線駆動回路により、非表示領域の走査線を選択した際には、データ線駆動回路により、データ線に画像信号を供給しないことで、消費電力を削減できる。
【００１５】
本発明の電気光学装置では、第１電圧と、当該第１電圧よりも電位の高い第２電圧と、を交互に前記共通電極に供給する制御回路を更に備え、前記データ線駆動回路は、前記共通電極に前記第１電圧が供給された後に、前記データ線に前記第１電圧よりも電位の高い画像信号を供給し、前記共通電極に前記第２電圧が供給された後に、前記データ線に前記第２電圧よりも電位の低い画像信号を供給し、前記イコライザ回路は、前記部分表示モードにおいて、前記複数の走査線のうち前記表示領域の走査線が選択される前で、かつ、前記共通電極の電圧が前記第１電圧から前記第２電圧または前記第２電圧から前記第１電圧に変動する際に、前記データ線と前記共通電極とを接続することが好ましい。
【００１６】
この発明によれば、部分表示モードにおいて、表示領域の走査線を選択する前で、かつ、共通電極の電圧を第１電圧から第２電圧または第２電圧から第１電圧に変動させる際に、データ線と共通電極とを接続した。このため、データ線と共通電極との間で電荷の移動が生じて、データ線と共通電極とが同電位となる。
よって、共通電極の電圧を第１電圧から第２電圧に上昇させる際には、データ線の電圧が第１電圧よりも電位の高い画像信号に基づく電圧から、上述のデータ線と共通電極とが同電位となる電圧まで低下する際の電荷を利用して、共通電極の電圧を第１電圧から第２電圧まで上昇させることができる。
また、共通電極の電圧を第２電圧から第１電圧に低下させる際には、共通電極の電圧が第２電圧から、上述のデータ線と共通電極とが同電位となる電圧まで低下する際の電荷を利用して、データ線の電圧を、第２電圧よりも電位の低い画像信号に基づく電圧から、上述のデータ線と共通電極とが同電位となる電圧まで上昇させることができる。
以上のように、データ線駆動回路からデータ線に画像信号を供給したり、制御回路から共通電極に所定の電圧を供給しなくても、データ線と共通電極との間で電荷を移動させて、データ線および共通電極の電圧を変動させることができるので、消費電力をさらに低減できる。
【００１７】
本発明の電気光学装置では、前記データ線駆動回路と、前記イコライザ回路とは、それぞれ、前記全画面において対向する２辺に沿って設けられることが好ましい。
【００１８】
この発明によれば、データ線駆動回路とイコライザ回路とを、それぞれ、全画面において対向する２辺に沿って設けた。このため、データ線に出力される画像信号に対して、データ線やスイッチング素子等の容量がぶらさがらないため、画像信号における遅延量を低減させることができる。
【００１９】
本発明の電子機器は、上述の電気光学装置を備えることを特徴とする。
この発明によれば、上述した効果と同様の効果がある。
【００２０】
本発明の電気光学装置の駆動方法は、複数の走査線、複数のデータ線、前記複数の走査線と前記複数のデータ線との交差に対応して設けられた複数の画素電極、および当該画素電極に対向して設けられた共通電極を備え、全画面を表示領域とする全画面表示モードと、前記全画面のうち一部の領域を表示領域とし、他の領域を非表示領域とする部分表示モードと、が選択可能な電気光学装置の駆動方法であって、前記部分表示モードにおいて、前記非表示領域の走査線を選択した際に、前記データ線と前記共通電極とを接続することを特徴とする。
この発明によれば、上述した効果と同様の効果がある。
【発明を実施するための最良の形態】
【００２１】
以下、本発明の実施形態を図面に基づいて説明する。なお、以下の実施形態および変形例の説明にあたって、同一構成要件については同一符号を付し、その説明を省略もしくは簡略化する。
【００２２】
＜実施形態＞
図１は、本発明の一実施形態に係る電気光学装置１のブロック図である。
電気光学装置１は、液晶パネルＡＡを備える。
【００２３】
液晶パネルＡＡは、表示画面Ａ、この表示画面Ａの周辺に設けられて画素５０を駆動する走査線駆動回路１０、データ線駆動回路２０、制御回路としての共通線駆動回路３０、およびイコライザ回路４０を備える。
【００２４】
この液晶パネルＡＡには、所定間隔おきに交互に設けられた３２０行の走査線Ｙ１〜Ｙ３２０および３２０行の共通線Ｚ１〜Ｚ３２０と、これら走査線Ｙ１〜Ｙ３２０および共通線Ｚ１〜Ｚ３２０に交差するように設けられた２４０列のデータ線Ｘ１〜Ｘ２４０と、を備える。各走査線Ｙおよび各データ線Ｘの交差部分には、画素５０が設けられている。
【００２５】
画素５０は、ＴＦＴ５１、画素電極５５、この画素電極５５に対向して設けられた共通電極５６、および、一方の電極が共通線Ｚを介して共通電極５６に接続され他方の電極が画素電極５５に接続された蓄積容量５３で構成される。画素電極５５および共通電極５６は、画素容量５４を構成する。
【００２６】
ＴＦＴ５１のゲートには、走査線Ｙが接続され、ＴＦＴ５１のソースには、データ線Ｘが接続され、ＴＦＴ５１のドレインには、画素電極５５および蓄積容量５３の他方の電極が接続されている。したがって、このＴＦＴ５１は、走査線Ｙから選択電圧が印加されるとオン状態となり、データ線Ｘと画素電極５５および蓄積容量５３の他方の電極とを導通状態とする。
【００２７】
走査線駆動回路１０は、ＴＦＴ５１をオン状態にする選択電圧を複数の走査線Ｙに順次供給する。例えば、ある走査線Ｙに選択電圧を供給すると、この走査線Ｙに接続されたＴＦＴ５１が全てオン状態となり、この走査線Ｙに係る画素５０が全て選択される。
この走査線駆動回路１０は、表示画面Ａの全ての領域を表示領域とする全画面表示モードと、表示画面Ａの全ての領域のうち一部の領域を表示領域とし、他の領域を非表示領域とする部分表示モードとでは、選択電圧を複数の走査線Ｙに順次供給する際の周期が異なる。
【００２８】
図２は、部分表示モードにおける表示画面Ａを示す図である。
部分表示モードでは、表示画面Ａは、表示領域７１と、この表示領域７１を挟む非表示領域７２と、に分割される。表示領域７１には、電池残量や時刻表示といった画像が表示され、非表示領域７２には、オフ表示画像が表示される。すなわち、非表示領域７２には、ノーマリーホワイトであれば白の画像が表示され、ノーマリーブラックであれば黒の画像が表示される。
【００２９】
図１に戻って、上述の走査線駆動回路１０は、図示しない表示制御部から入力された表示切替信号に基づいて、全画面表示モードでは、表示画面Ａの全ての走査線Ｙに、周期Ｆで選択電圧を順次供給する。一方、部分表示モードでは、表示領域７１の走査線Ｙに、周期Ｆで選択電圧を順次供給し、非表示領域７２の走査線Ｙに、周期２Ｆで選択電圧を順次供給する。すなわち、非表示領域７２の走査線Ｙには、表示領域７１の走査線Ｙと比べて、２倍の周期で選択電圧を順次供給する。
【００３０】
データ線駆動回路２０は、画像信号をデータ線Ｘに供給し、オン状態のＴＦＴ５１を介して、この画像信号に基づく画像電圧を画素電極５５に書き込む。
ここで、データ線駆動回路２０は、共通電極５６の電圧よりも電位の高い正極性の画像信号をデータ線Ｘに供給して、この正極性の画像信号に基づく画像電圧を画素電極５５に書き込む正極性書込と、共通電極５６の電圧よりも電位の低い負極性の画像信号をデータ線Ｘに供給して、この負極性の画像信号に基づく画像電圧を画素電極５５に書き込む負極性書込と、を１水平ラインごとに交互に行う。
【００３１】
共通線駆動回路３０は、第１電圧としての電圧ＶＣＯＭＬと、この電圧ＶＣＯＭＬよりも電位の高い第２電圧としての電圧ＶＣＯＭＨと、を交互に共通線Ｚに供給する。
【００３２】
イコライザ回路４０は、データ線Ｘと共通線Ｚとを断続する。
このイコライザ回路４０と、上述のデータ線駆動回路２０とは、それぞれ、表示画面Ａの対向する２辺に沿って設けられており、イコライザ回路４０には、複数の共通線Ｚに対応して、複数のスイッチ素子としてのスイッチ４１が設けられている。スイッチ４１の一端には、複数のデータ線Ｘが接続され、スイッチ４１の他端には、各スイッチ４１に対応する共通線Ｚが接続されている。このスイッチ４１は、図示しない表示制御部から入力された制御信号の電圧ＣＰに基づいて、オン、オフする。スイッチ４１がオン状態になると、このオン状態のスイッチ４１に接続された複数のデータ線Ｘと対応する共通線Ｚとが導通状態となる。
【００３３】
以上の電気光学装置１は、全画面表示モードでは、以下のように動作する。
すなわち、まず、共通線駆動回路３０から共通線Ｚに電圧ＶＣＯＭＬまたは電圧ＶＣＯＭＨのいずれかを選択的に供給する。
具体的には、各共通線Ｚには、１フレーム期間ごとに、電圧ＶＣＯＭＬと電圧ＶＣＯＭＨとを交互に供給する。例えば、ある１フレーム期間において、ｐ行目（ｐは、１≦ｐ≦３２０を満たす整数）の共通線Ｚｐに電圧ＶＣＯＭＬを供給した場合、次の１フレーム期間では、共通線Ｚｐに電圧ＶＣＯＭＨを供給する。一方、ある１フレーム期間において、共通線Ｚｐに電圧ＶＣＯＭＨを供給した場合、次の１フレーム期間では、共通線Ｚｐに電圧ＶＣＯＭＬを供給する。
また、隣接する共通線Ｚには、互いに異なる電圧を供給する。例えば、ある１フレーム期間において、共通線Ｚｐに電圧ＶＣＯＭＬを供給する場合、同一の１フレーム期間において、（ｐ−１）行目の共通線Ｚ（ｐ−１）と、（ｐ＋１）行目の共通線Ｚ（ｐ＋１）とには、電圧ＶＣＯＭＨを供給する。一方、ある１フレーム期間において、共通線Ｚｐに電圧ＶＣＯＭＨを供給した場合、同一の１フレーム期間において、共通線Ｚ（ｐ−１）と共通線Ｚ（ｐ＋１）とには、電圧ＶＣＯＭＬを供給する。
【００３４】
次に、走査線駆動回路１０から３２０行の走査線Ｙ１〜Ｙ３２０に選択電圧を順次供給することで、各走査線Ｙに接続された全てのＴＦＴ５１を順次オン状態にして、各走査線Ｙに係る全ての画素５０を順次選択する。
【００３５】
また、これら画素５０の選択に同期して、共通電極５６の電圧に応じて、データ線駆動回路２０からデータ線Ｘに、正極性の画像信号と、負極性の画像信号と、を１水平ラインごとに交互に供給する。
具体的には、３２０行の共通線Ｚ１〜Ｚ３２０のうち、選択した画素５０に係る共通線Ｚｐに電圧ＶＣＯＭＬを供給した場合には、正極性の画像信号をデータ線Ｘに供給する。一方、３２０行の共通線Ｚ１〜Ｚ３２０のうち、選択した画素５０に係る共通線Ｚｐに電圧ＶＣＯＭＨを供給した場合には、負極性の画像信号をデータ線Ｘに供給する。
【００３６】
すると、走査線駆動回路１０で選択した全ての画素５０に、データ線駆動回路２０からデータ線Ｘおよびオン状態のＴＦＴ５１を介して画像信号が供給されて、この画像信号に基づく画像電圧が画素電極５５に書き込まれる。これにより、画素電極５５と共通電極５６との間に電位差が生じて、駆動電圧が液晶に印加される。
【００３７】
液晶に駆動電圧が印加されると、液晶の配向や秩序が変化して、液晶を透過する光が変化して、階調表示が行われる。
なお、液晶に印加される駆動電圧は、蓄積容量５３により、画像電圧が書き込まれる期間よりも３桁も長い期間に亘って保持される。
【００３８】
また、以上の電気光学装置１は、部分表示モードでは、表示領域７１に対して、以下のように動作する。
すなわち、まず、共通線Ｚｐに対応するスイッチ４１をオン状態にして、複数のデータ線Ｘと共通線Ｚｐとを接続する。すると、複数のデータ線Ｘと、共通線Ｚｐに係る全ての共通電極５６と、が導通状態となり、同電位となる。
【００３９】
次に、上述のように、共通線駆動回路３０から共通線Ｚｐに電圧ＶＣＯＭＬまたは電圧ＶＣＯＭＨのいずれかを選択的に供給する。
また、これと同時に、上述のように、データ線駆動回路２０からデータ線Ｘに、正極性の画像信号または負極性の画像信号を供給する。
【００４０】
次に、共通線Ｚｐに対応するスイッチ４１をオフ状態にして、複数のデータ線Ｘと共通線Ｚｐとを切断してから、上述のように、走査線駆動回路１０から走査線Ｙｐに選択電圧を供給する。
【００４１】
また、以上の電気光学装置１は、部分表示モードでは、非表示領域７２に対して、以下のように動作する。
すなわち、まず、上述のように、共通線Ｚｐに対応するスイッチ４１をオン状態にして、複数のデータ線Ｘと共通線Ｚｐとを接続する。
【００４２】
次に、上述のように、共通線駆動回路３０から共通線Ｚｐに電圧ＶＣＯＭＬまたは電圧ＶＣＯＭＨのいずれかを選択的に供給する。
また、これと同時に、上述のように、データ線駆動回路２０からデータ線Ｘに、正極性の画像信号または負極性の画像信号を供給する。
【００４３】
次に、共通線Ｚｐに対応するスイッチ４１をオン状態にしたままで、上述のように、走査線駆動回路１０から走査線Ｙｐに選択電圧を順次供給する。
【００４４】
図３は、部分表示モードの電気光学装置１における表示領域７１に対する正極性書込時のタイミングチャートである。
なお、図３において、ＧＡＴＥ（ｍ）は、ｍ行目（ｍは、１≦ｍ≦３２０を満たす整数）の走査線Ｙｍの電圧であり、ＳＯＵＲＣＥ（ｎ）は、ｎ列目（ｎは、１≦ｎ≦２４０を満たす整数）のデータ線Ｘｎの電圧である。また、ＶＣＯＭ（ｍ、ｎ）は、ｍ行目の走査線Ｙｍとｎ列目のデータ線Ｘｎとの交差に対応して設けられたｍ行ｎ列目の画素５０が備える共通電極５６の電圧である。また、ＣＰ（ｍ）は、ｍ行目の共通線Ｚｍに対応する制御信号の電圧である。
【００４５】
まず、時刻ｔ１において、共通線Ｚｍに対応する制御信号の電圧ＣＰ（ｍ）を、電圧ＶＣＰＨにする。すると、共通線Ｚｍに対応するスイッチ４１がオン状態となり、複数のデータ線Ｘと、共通線Ｚｍに係る全ての共通電極５６と、が導通状態となる。
すると、電圧ＶＣＯＭＨであるｍ行ｎ列目の共通電極５６と、電圧ＶＳＬであるデータ線Ｘｎと、の間で電荷の移動が生じる。このため、ｍ行ｎ列目の共通電極５６の電圧ＶＣＯＭ（ｍ、ｎ）は、徐々に低下して、時刻ｔ２では、電圧Ｖ１となる。また、データ線Ｘｎの電圧ＳＯＵＲＣＥ（ｎ）は、徐々に上昇して、時刻ｔ２では、電圧Ｖ１となる。
【００４６】
次に、時刻ｔ３において、共通線Ｚｍに対応する制御信号の電圧ＣＰ（ｍ）を、電圧ＶＣＰＬにする。すると、共通線Ｚｍに対応するスイッチ４１がオフ状態となり、複数のデータ線Ｘと、共通線Ｚｍに係る全ての共通電極５６と、が非導通状態となる。
同時に、共通線駆動回路３０により、共通線Ｚｍに電圧ＶＣＯＭＬを供給する。すると、共通線Ｚｍに接続されたｍ行ｎ列目の共通電極５６の電圧ＶＣＯＭ（ｍ、ｎ）は、徐々に低下して、時刻ｔ５では、電圧ＶＣＯＭＬとなる。
また、同時に、データ線駆動回路２０により、データ線Ｘｎに電圧ＶＳＨの画像信号を供給する。すると、データ線Ｘｎの電圧ＳＯＵＲＣＥ（ｎ）は、徐々に上昇して、時刻ｔ４では、電圧ＶＳＨとなる。
【００４７】
次に、時刻ｔ６において、走査線駆動回路１０により、走査線Ｙｍに選択電圧を供給する。すると、走査線Ｙｍの電圧ＧＡＴＥ（ｍ）は、徐々に上昇して、時刻ｔ７では、電圧ＶＧＨとなる。これにより、走査線Ｙｍに接続された全てのＴＦＴ５１がオン状態となり、データ線Ｘｎの電圧ＶＳＨが、ｍ行ｎ列目の画素電極５５に書き込まれる。
【００４８】
次に、時刻ｔ８において、走査線駆動回路１０により、走査線Ｙｍに選択電圧を供給するのを停止する。すると、走査線Ｙｍの電圧ＧＡＴＥ（ｍ）は、徐々に低下して、時刻ｔ９では、電圧ＶＧＬとなる。これにより、走査線Ｙｍに接続された全てのＴＦＴ５１がオフ状態となり、データ線Ｘｎの電圧ＶＳＨが、ｍ行ｎ列目の画素電極５５に書き込まれるのが終了する。
【００４９】
図４は、部分表示モードの電気光学装置１における表示領域７１に対する負極性書込時のタイミングチャートである。
なお、図４の負極性書込時では、図３に示した正極性書込時と同じ階調表示を行う。
【００５０】
まず、時刻ｔ１１において、上述の時刻ｔ１と同様に、共通線Ｚｍに対応する制御信号の電圧ＣＰ（ｍ）を、電圧ＶＣＰＨにする。すると、ｍ行ｎ列目の共通電極５６の電圧ＶＣＯＭ（ｍ、ｎ）は、徐々に上昇して、時刻ｔ１２では、電圧Ｖ２となる。また、データ線Ｘｎの電圧ＳＯＵＲＣＥ（ｎ）は、徐々に低下して、時刻ｔ１２では、電圧Ｖ２となる。
【００５１】
次に、時刻ｔ１３において、上述の時刻ｔ３と同様に、共通線Ｚｍに対応する制御信号の電圧ＣＰ（ｍ）を、電圧ＶＣＰＬにする。
同時に、共通線駆動回路３０により、共通線Ｚｍに電圧ＶＣＯＭＨを供給する。すると、共通線Ｚｍに接続されたｍ行ｎ列目の共通電極５６の電圧ＶＣＯＭ（ｍ、ｎ）は、徐々に上昇して、時刻ｔ１５では、電圧ＶＣＯＭＨとなる。
また、同時に、データ線駆動回路２０により、データ線Ｘｎに電圧ＶＳＬの画像信号を供給する。すると、データ線Ｘｎの電圧ＳＯＵＲＣＥ（ｎ）は、徐々に低下して、時刻ｔ１４では、電圧ＶＳＬとなる。
【００５２】
次に、時刻ｔ１６において、上述の時刻ｔ６と同様に、走査線駆動回路１０により、走査線Ｙｍに選択電圧を供給する。これにより、走査線Ｙｍに接続された全てのＴＦＴ５１がオン状態となり、データ線Ｘｎの電圧ＶＳＬが、ｍ行ｎ列目の画素電極５５に書き込まれる。
【００５３】
次に、時刻ｔ１８において、上述の時刻ｔ８と同様に、走査線駆動回路１０により、走査線Ｙｍに選択電圧を供給するのを停止する。これにより、走査線Ｙｍに接続された全てのＴＦＴ５１がオフ状態となり、データ線Ｘｎの電圧ＶＳＬが、ｍ行ｎ列目の画素電極５５に書き込まれるのが終了する。
【００５４】
図５は、部分表示モードの電気光学装置１における非表示領域７２に対する正極性書込時のタイミングチャートである。
【００５５】
まず、時刻ｔ２１において、上述の時刻ｔ１と同様に、共通線Ｚｍに対応する制御信号の電圧ＣＰ（ｍ）を、電圧ＶＣＰＨにする。すると、ｍ行ｎ列目の共通電極５６の電圧ＶＣＯＭ（ｍ、ｎ）は、徐々に低下して、時刻ｔ２２では、電圧Ｖ１となる。また、データ線Ｘｎの電圧ＳＯＵＲＣＥ（ｎ）は、徐々に上昇して、時刻ｔ２２では、電圧Ｖ１となる。
【００５６】
次に、時刻ｔ２２において、上述の時刻ｔ３と同様に、共通線駆動回路３０により、共通線Ｚｍに電圧ＶＣＯＭＬを供給する。すると、共通線Ｚｍに接続されたｍ行ｎ列目の共通電極５６の電圧ＶＣＯＭ（ｍ、ｎ）は、徐々に低下して、時刻ｔ２３では、電圧ＶＣＯＭＬとなる。
また、複数のデータ線Ｘと、共通線Ｚｍに係る全ての共通電極５６と、が導通状態なので、データ線Ｘｎの電圧ＳＯＵＲＣＥ（ｎ）は、ｍ行ｎ列目の共通電極５６の電圧ＶＣＯＭ（ｍ、ｎ）と同様に、徐々に低下して、時刻ｔ２３では、電圧ＶＣＯＭＬとなる。
【００５７】
次に、時刻ｔ２４において、上述の時刻ｔ６と同様に、走査線駆動回路１０により、走査線Ｙｍに選択電圧を供給する。これにより、走査線Ｙｍに接続された全てのＴＦＴ５１がオン状態となり、データ線Ｘｎの電圧ＶＣＯＭＬが、ｍ行ｎ列目の画素電極５５に書き込まれる。
【００５８】
次に、時刻ｔ２６において、上述の時刻ｔ８と同様に、走査線駆動回路１０により、走査線Ｙｍに選択電圧を供給するのを停止する。これにより、走査線Ｙｍに接続された全てのＴＦＴ５１がオフ状態となり、データ線Ｘｎの電圧ＶＣＯＭＬが、ｍ行ｎ列目の画素電極５５に書き込まれるのが終了する。
【００５９】
図６は、部分表示モードの電気光学装置１における非表示領域７２に対する負極性書込時のタイミングチャートである。
なお、図６の負極性書込時では、図５に示した正極性書込時と同じオフ表示画像に対応した階調表示を行う。
【００６０】
まず、時刻ｔ３１において、上述の時刻ｔ１１と同様に、共通線Ｚｍに対応する制御信号の電圧ＣＰ（ｍ）を、電圧ＶＣＰＨにする。すると、ｍ行ｎ列目の共通電極５６の電圧ＶＣＯＭ（ｍ、ｎ）は、徐々に上昇して、時刻ｔ３２では、電圧Ｖ２となる。また、データ線Ｘｎの電圧ＳＯＵＲＣＥ（ｎ）は、徐々に低下して、時刻ｔ３２では、電圧Ｖ２となる。
【００６１】
次に、時刻ｔ３２において、上述の時刻ｔ１３と同様に、共通線駆動回路３０により、共通線Ｚｍに電圧ＶＣＯＭＨを供給する。すると、共通線Ｚｍに接続されたｍ行ｎ列目の共通電極５６の電圧ＶＣＯＭ（ｍ、ｎ）は、徐々に上昇して、時刻ｔ３３では、電圧ＶＣＯＭＨとなる。
また、複数のデータ線Ｘと、共通線Ｚｍに係る全ての共通電極５６と、が導通状態なので、データ線Ｘｎの電圧ＳＯＵＲＣＥ（ｎ）は、ｍ行ｎ列目の共通電極５６の電圧ＶＣＯＭ（ｍ、ｎ）と同様に、徐々に上昇して、時刻ｔ３３では、電圧ＶＣＯＭＨとなる。
【００６２】
次に、時刻ｔ３４において、上述の時刻ｔ１６と同様に、走査線駆動回路１０により、走査線Ｙｍに選択電圧を供給する。これにより、走査線Ｙｍに接続された全てのＴＦＴ５１がオン状態となり、データ線Ｘｎの電圧ＶＣＯＭＨが、ｍ行ｎ列目の画素電極５５に書き込まれる。
【００６３】
次に、時刻ｔ３６において、上述の時刻ｔ１８と同様に、走査線駆動回路１０により、走査線Ｙｍに選択電圧を供給するのを停止する。これにより、走査線Ｙｍに接続された全てのＴＦＴ５１がオフ状態となり、データ線Ｘｎの電圧ＶＣＯＭＨが、ｍ行ｎ列目の画素電極５５に書き込まれるのが終了する。
【００６４】
本実施形態によれば、以下のような効果がある。
（１）部分表示モードにおいて、複数の走査線Ｙのうち非表示領域７２の走査線Ｙｍを選択した際に、データ線Ｘと共通線Ｚｍに係る共通電極５６とを接続した。このため、データ線Ｘを介して、画素電極５５と共通線Ｚｍに係る共通電極５６との間で電荷の移動が生じて、画素電極５５と共通線Ｚｍに係る共通電極５６とが同電位となる。したがって、データ線駆動回路２０により、オフ表示画像に対応した画像信号をデータ線Ｘに供給しなくても、非表示領域７２の画素５０ではオフ表示画像を表示できる。よって、走査線駆動回路１０により、非表示領域７２の走査線Ｙｍを選択した際には、データ線駆動回路２０により、データ線Ｘに画像信号を供給しないことで、消費電力を削減できる。
【００６５】
（２）部分表示モードにおいて、表示領域７１の走査線Ｙｍを選択する前で、かつ、ｍ行ｎ列目の共通電極５６の電圧ＶＣＯＭ（ｍ、ｎ）を電圧ＶＣＯＭＬから電圧ＶＣＯＭＨまたは電圧ＶＣＯＭＨから電圧ＶＣＯＭＬに変動させる際に、データ線Ｘｎと、ｍ行ｎ列目の共通電極５６と、を接続した。このため、データ線Ｘｎと、ｍ行ｎ列目の共通電極５６と、の間で電荷の移動が生じて、データ線Ｘｎと、ｍ行ｎ列目の共通電極５６と、がともに電圧Ｖ１または電圧Ｖ２となる。
よって、図３に示したように、ｍ行ｎ列目の共通電極５６の電圧ＶＣＯＭ（ｍ、ｎ）を、電圧ＶＣＯＭＨから電圧ＶＣＯＭＬに低下させる際には、ｍ行ｎ列目の共通電極５６の電圧ＶＣＯＭ（ｍ、ｎ）が電圧ＶＣＯＭＨから電圧Ｖ１まで低下する際の電荷を利用して、データ線Ｘｎの電圧ＳＯＵＲＣＥ（ｎ）を電圧ＶＳＬから電圧Ｖ１まで上昇させることができる。
また、図４に示したように、ｍ行ｎ列目の共通電極５６の電圧ＶＣＯＭ（ｍ、ｎ）を、電圧ＶＣＯＭＬから電圧ＶＣＯＭＨに上昇させる際には、データ線Ｘｎの電圧ＳＯＵＲＣＥ（ｎ）が電圧ＶＳＨから電圧Ｖ２まで低下する際の電荷を利用して、ｍ行ｎ列目の共通電極５６の電圧ＶＣＯＭ（ｍ、ｎ）を、電圧ＶＣＯＭＬから電圧Ｖ２まで上昇させることができる。
以上のように、データ線駆動回路２０からデータ線Ｘｎに画像信号を供給したり、共通線駆動回路３０から共通線Ｚｍに所定の電圧を供給しなくても、データ線Ｘｎと、ｍ行ｎ列目の共通電極５６と、の間で電荷を移動させて、データ線Ｘｎの電圧ＳＯＵＲＣＥ（ｎ）と、ｍ行ｎ列目の共通電極５６の電圧ＶＣＯＭ（ｍ、ｎ）と、を変動させることができるので、消費電力をさらに低減できる。
【００６６】
（３）データ線駆動回路２０とイコライザ回路４０とを、それぞれ、表示画面Ａの対向する２辺に沿って設けた。このため、データ線Ｘに出力される画像信号に対して、データ線ＸやＴＦＴ５１等の容量がぶらさがらないため、画像信号における遅延量を低減させることができる。
【００６７】
＜変形例＞
なお、本発明は上述の実施形態に限定されるものではなく、本発明の目的を達成できる範囲での変形、改良等は本発明に含まれるものである。
例えば、上述の実施形態では、３２０行の走査線Ｙと、２４０列のデータ線Ｘと、を備えるものとしたが、これに限らず、例えば、４８０行の走査線Ｙと、６４０列のデータ線Ｘと、を備えてもよい。
【００６８】
また、上述の実施形態では、非表示領域７２の走査線Ｙには、表示領域７１の走査線Ｙと比べて、２倍の周期で選択電圧を順次供給したが、これに限らず、例えば３倍の周期で選択電圧を順次供給してもよい。
【００６９】
また、上述の実施形態では、本発明を液晶を用いた電気光学装置１に適用したが、これに限らず、液晶以外の電気光学物質を用いた電気光学装置にも適用できる。電気光学物質とは、電気信号（電流信号または電圧信号）の供給によって透過率や輝度といった光学的特性が変化する物質である。例えば、有機ＥＬ（Electro-Luminescent）や発光ポリマーなどのＯＬＥＤ素子を電気光学物質として用いた表示パネルや、着色された液体とこの液体に分散された白色の粒子とを含むマイクロカプセルを電気光学物質として用いた電気泳動表示パネル、極性が相違する領域ごとに異なる色に塗り分けられたツイストボールを電気光学物質として用いたツイストボールディスプレイパネル、黒色トナーを電気光学物質として用いたトナーディスプレイパネル、あるいは、ヘリウムやネオン等の高圧ガスを電気光学物質として用いたプラズマディスプレイパネルなど各種の電気光学装置に対しても、上記実施形態と同様に本発明が適用され得る。
【００７０】
＜応用例＞
次に、上述した実施形態に係る電気光学装置１を適用した電子機器について説明する。
図７は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【００７１】
なお、電気光学装置１が適用される電子機器としては、図７に示すもののほか、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した液晶装置が適用可能である。
【図面の簡単な説明】
【００７２】
【図１】本発明の一実施形態に係る電気光学装置のブロック図である。
【図２】前記電気光学装置の部分表示モードにおける表示画面を示す図である。
【図３】部分表示モードの前記電気光学装置における表示領域に対する正極性書込時のタイミングチャートである。
【図４】部分表示モードの前記電気光学装置における表示領域に対する負極性書込時のタイミングチャートである。
【図５】部分表示モードの前記電気光学装置における非表示領域に対する正極性書込時のタイミングチャートである。
【図６】部分表示モードの前記電気光学装置における非表示領域に対する負極性書込時のタイミングチャートである。
【図７】上述した電気光学装置を適用した携帯電話機の構成を示す斜視図である。
【符号の説明】
【００７３】
１…電気光学装置、１０…走査線駆動回路、２０…データ線駆動回路、３０…共通線駆動回路（制御回路）、４０…イコライザ回路、５０…画素、５５…画素電極、５６…共通電極、７１…表示領域、７２…非表示領域、３０００…携帯電話機（電子機器）、Ａ…表示画面、Ｘ…データ線、Ｙ…走査線。
【図１】
2008015401.tif 000003
【図２】
2008015401.tif 000004
【図３】
2008015401.tif 000005
【図４】
2008015401.tif 000006
【図５】
2008015401.tif 000007
【図６】
2008015401.tif 000008
【図７】
2008015401.tif 000009